(57)【特許請求の範囲】
【請求項１】
駆動モータとして電気モータ（Ｍ）を備えた車両の動力伝達装置のジャダーを減衰させる方法であって、
前記電気モータ（Ｍ）を作動する電気モータ設定値トルク（ＭＥｍ＿ｎｅｗ）を、現在のリクエストに係るトルクに対応する電気モータリクエストトルク（ＭＥｍ＿ｓｅｔｐ）、及び補正トルク（ｓ）から計算し、前記補正トルク（ｓ）を、前記電気モータリクエストトルク（ＭＥｍ＿ｓｅｔｐ）と補正率（ｙ）の関数として計算し、前記補正率（ｙ）を、前記電気モータの回転速度（ｎ）に基づいて決定し、
３点閉ループコントローラを用いて、前記電気モータの前記回転速度（ｎ）から得られる回転速度干渉信号（ｘ）から、前記補正率（ｙ）を決定し、
前記補正率（ｙ）は、３つの離散値のみ、０、−１及び＋１を取り得、
前記３つの離散値は、
ａ）前記回転速度干渉信号（ｘ）の値がゼロクロスの領域に位置し、スイッチオン閾値のいずれにも到達しない場合、前記補正率（ｙ）は０であり、
ｂ）前記回転速度干渉信号（ｘ）が正のスイッチオン閾値ＥＳ＿ｐを超過し、正の第１のスイッチオフ閾値ＡＳ１＿ｐを下回らず、正の第２のスイッチオフ閾値ＡＳ２＿ｐを超過しない場合、前記補正率（ｙ）は−１であり、
ｃ）前記回転速度干渉信号（ｘ）の値が負であり、負のスイッチオン閾値ＥＳ＿ｎよりも絶対値が高く、前記値が絶対値で負の第１のスイッチオフ閾値ＡＳ１＿ｎを下回らず、前記値が絶対値で負の第２のスイッチオフ閾値ＡＳ２＿ｎを超過しない場合、前記補正率（ｙ）は１である、ように決定されることを特徴とする方法。
【請求項２】
少なくとも車速（ｖＦｚｇ）が特定の範囲内の場合に、前記電気モータ設定値トルク（ＭＥｍ＿ｎｅｗ）を、前記電気モータリクエストトルク（ＭＥｍ＿ｓｅｔｐ）と前記補正トルク（ｓ）とを合算して生成することを特徴とする、請求項１に記載の方法。
【請求項３】
前記電気モータリクエストトルク（ＭＥｍ＿ｓｅｔｐ）に基づいたリクエスト補正トルク（ｋ）と、前記補正率（ｙ）との積として、前記補正トルク（ｓ）を生成することを特徴とする、請求項１に記載の方法。
【請求項４】
帯域フィルタを用いて、前記電気モータの前記回転速度（ｎ）から回転速度干渉信号（ｘ）を生成することを特徴とする、請求項１に記載の方法。
【請求項５】
現在の車速（ｖＦｚｇ）を、所定の制限速度（ｇ）と比較し、現在の車速（ｖＦｚｇ）の絶対値が、前記制限速度（ｇ）よりも小さい場合には、前記電気モータ設定値トルク（ＭＥｍ＿ｎｅｗ）を、前記電気モータリクエストトルク（ＭＥｍ＿ｓｅｔｐ）と前記補正トルク（ｓ）との合計として計算し、現在の車速（ｖＦｚｇ）の絶対値が、前記制限速度（ｇ）よりも大きい場合には、前記電気モータ設定値トルク（ＭＥｍ＿ｎｅｗ）を、前記電気モータリクエストトルク（ＭＥｍ＿ｓｅｔｐ）によって規定することを特徴とする、請求項１に記載の方法。
【請求項６】
上流閉ループ車両制御システムを用いてリクエストを行うことによって、前記電気モータリクエストトルク（ＭＥｍ＿ｓｅｔｐ）が前記現在のリクエストに係るトルクに対応することを特徴とする、請求項１に記載の方法。
【請求項７】
駆動モータとして電気モータ（Ｍ）を有する動力伝達装置と、請求項１に記載の方法を実行するように設計されている閉ループ制御システムとを備える車両。
【発明の詳細な説明】
【技術分野】
【０００１】
本発明は、駆動モータとして電気モータを有している車両の動力伝達装置のジャダーを減衰させるための方法に関する。本発明はまた、そのようなジャダーを減衰させるための方法を実行するように設計されている閉ループ制御システムを備える車両に関する。
【背景技術】
【０００２】
車両においては、一般に、始動時に又は走行中であっても動力伝達装置が急激に変化するような場合に、動力伝達装置の特有の振動挙動が存在する。駆動モータとして電気モータを有している車両では、特に始動中に、この振動の音が目立って発生する。その理由は、要するに、動力伝達装置全体を、対応する励振の結果として振動するようになるばね質量系又はロッドばねと考えることができるからである。電気モータ駆動の車両の場合、駆動トルクに不規則性が生じ、特に、電気モータや回転速度センサの機械設計に依存して、また、インバータの運転の影響や閉ループ制御の作用で、不規則性が生じる。この干渉は、回転速度や負荷に依存することから、干渉は、非常に広範なスペクトルに及ぶ可能性がある。そのため、ある回転速度で、下流の機構系、特に動力伝達装置によって固有周波数の振動が発生し、また、一又は複数の共振が発生する可能性がある。
【０００３】
この動力伝達装置の振動音は、特に低い速度範囲内の場合や、上り坂での始動時に、強く発生する。この種の動力伝達装置の振動ないしジャダーを防止するための従来の解決策は、機械減衰、特にクラッチによる非干渉化（ｄｅｃｏｕｐｌｉｎｇ）による振動減衰に基づくものである。内燃機関の場合には、点火角の能動的調節によってこの振動を弱めることができる。電気駆動装置に適用可能な更なる解決策では、トルクの蓄積中における勾配に強力な制限を課して、ばねシステムについて低い励起を想定し、さらには車両の比較的低い動力学を想定している。
【０００４】
ＤＥ  １０  ２０１３  １１２  ４１９  Ａ１は、例えば、トルクコンバータを含まないハイブリッド車両のアンチジャダー制御方法を開示している。この方法では、ギアシフトコマンドがハイブリッド車両の送信制御デバイスによって出力されるかどうかを判定し、ギアシフト範囲を少なくとも３段階に分割し、ギアシフトコマンドが出力されたと判定される場合のギアシフトコマンドにギアシフト範囲を対応させ、分割して対応させたギアシフト範囲がアンチジャダー承認シフト範囲であるかどうかを判定し、対応させたギアシフト範囲がアンチジャダー承認ギアシフト範囲であると判定した場合には、対応させたギアシフト範囲で生成される振動や衝撃を低減又は減衰させるべく、所定値でハイブリッド車両の駆動モータの位相反転を制御する。
【０００５】
ＤＥ  １０  ２０１２  ２２４  ２９４  Ａ１は、モータのパワーを使用する車両のアンチジャダー制御方法を開示している。この方法は、コントローラにより、モータの実際の回転速度を出力しコントローラによってモータのモデル回転速度を出力しコントローラにより、出力モデル回転速度とモータの実際の回転速度との差に基づいた振動成分を出力し、振動成分の中の誤り（ｆａｕｌｔ）成分を除去するために、コントローラにより、振動成分のハイパスフィルタリングを行い、ハイパスフィルタリング中に発生する位相エラーを相殺するために、フィルタリングされた振動成分の位相を予め設定したプリセット時間だけ、コントローラにより遅延させ、コントローラにより、アンチジャダー相殺トルクを生成すべく、位相をプリセット時間だけ遅延させる間、フィルタリングされた振動成分に予め設定したプリセット振幅を適用する。
【０００６】
ＵＳ  ２０１１  １１２  ７０９  Ａ１は、動力伝達装置の振動が存在しない状態でのモータのモデル速度の計算、及びモデル速度と現在の速度との差の計算を含むハイブリッド車両のためのアンチジャダーコントローラを開示する。
【０００７】
動力伝達装置の機械振動を抑制する、本発明の解決策は、動力伝達装置の機械構造に係合させる必要がないにもかかわらず、動力伝達装置の振動を低減、防止するものである。ところで、車両の加速は、著しく悪化してはならない、また、ドライバの運転感覚、特にアクセルペダルに対する応答挙動は、ドライバにできるだけ悪影響を及ぼさないようにすべきである。
【発明の概要】
【０００８】
本発明の目的は、特に電気モータを有する車両を始動する際に、破壊的であり得る、振動ないしジャダーを電子工学的に減衰させ、同時に車両の運転の快適性に、特にアクセルペダルに対する車両の応答挙動に、極度の悪影響を及ぼすのを回避することである。更なる目的は、そのような震動の減衰を有する車両を特定することである。
【０００９】
本目的を達成すべく、駆動モータとして電気モータを備えた車両の動力伝達装置のジャダーを減衰させる方法は、電気モータを作動させるための電気モータ設定値トルクが、現在リクエストされているトルクに対応する電気モータリクエストトルクと、補正トルクに基づいて計算し、電気モータリクエストトルク及び補正率の関数として補正トルクを決定し、補正率を電気モータの回転速度に基づいて生成する。
【００１０】
本発明において、電気駆動モータのトルクについて新しいトルク設定値が、前回の電気駆動モータのトルク設定値、リクエストされている電気モータのトルク（これは、通常、ドライバのアクセルペダルの作動、及び／又は車両の周囲状況、たとえば、車両の始動時や上りの走行中などに基づいて予め定義される）に基づいて計算される。この電気駆動モータのトルク設定値は、電気モータまたは閉ループのトルクコントローラに渡される。ここにおいて、リクエストされている電気モータのトルクである電気モータリクエストトルクは、通常、ジャダーの減衰をまだ受けていない一方で、電気モータのトルク設定値は、ジャダーの減衰補正項を有している。
【００１１】
本発明において、電気モータトルク設定値は、少なくとも２つの成分に基づいて、すなわち、一方は電気モータリクエストトルクに基づくとともに、他方は電気モータリクエストトルクに依存する補正トルクに基づいて、計算される。加えて、補正トルクは、電気モータの現在の回転速度から決定される補正率によって決まる。
【００１２】
電気モータリクエストトルクを以上のように補正することによって、振動の相殺が可能であり、特に、車両の始動時に発生する動力伝達装置の振動を相殺することが可能である。
【００１３】
本発明による車両は、駆動モータとして電気モータを備えた動力伝達装置と、本発明の方法を実行するようにした閉ループ制御システムとを備える。
【００１４】
本発明の方法では、電気モータ設定値トルクは、好ましくは、電気モータリクエストトルク及び補正トルクの合計として、少なくとも車速の特定の範囲の中で生成される。
【００１５】
補正トルクは、好ましくは、電気モータリクエストトルクから形成されたリクエスト補正トルクと、補正率との積として生成される。
【００１６】
ここにおいて、リクエスト補正トルクは、電気モータリクエストトルクから特性図、特に値表を介して計算することができる。
【００１７】
補正率は、正負を取り得、が、ゼロを取り得るようにしてもよい。補正率は、好ましくは、３つの離散値のみ、特に０、−１及び＋１を有することができる。
【００１８】
補正率は、好ましくは、回転速度干渉信号から、３点閉ループコントローラによって求められる。回転速度干渉信号それ自体は、電気モータの回転速度から決定される。
【００１９】
回転速度干渉信号は、好ましくは、信号フィルタリングによって、特に帯域フィルタによって、前記電気モータの前記回転速度から生成される。
【００２０】
本発明の方法では、好ましくは、現在の車速を所定の制限速度と比較し、現在の車速の絶対値が、制限速度よりも小さい場合のみ、電気モータリクエストトルクと補正トルクとの合計として電気モータ設定値トルクを計算する。現在の車速の絶対値が、制限速度よりも大きい場合には、電気モータリクエストトルクを補正しない。この場合電気モータトルク設定値は、電気モータリクエストトルクに対応する。
【００２１】
電気モータリクエストトルクは、通常、車両のドライバから現在リクエストされているトルクに対応する。トルクのリクエストは、好ましくは、アクセルペダルによるリクエストによって生じ、及び／又は（好ましくはアンチジャダー補正なしのままで）上流車両制御システムによって、予め規定し、又は変更することができる。
【００２２】
本発明は、図面を参照して例示目的で以下に説明されることになる。
【図面の簡単な説明】
【００２３】
【図１】車両の動力伝達装置におけるジャダーを減衰させるための、本発明による方法の概略図である。
【図２】車両の動力伝達装置におけるジャダーを減衰させるための、本発明による方法のフローチャートである。
【図３】本発明による方法における補正率ｙを決定するための３点閉ループコントローラの図である。
【図４】本発明による方法における、電気モータリクエストトルクＭＥｍ＿ｓｅｔｐの関数として、リクエスト補正トルクｋを決定するための特性図を示す。
【発明を実施するための形態】
【００２４】
図１は、本発明によるアンチジャダー方法の概略設計を例示目的で示している。方法は、３つの部分の関数又はモジュール（図１）、具体的には、信号フィルタリング１、信号解析２、及び閉ループ制御システム３に分割される。
【００２５】
同じ方法のフローチャートが図２に示されており、信号フィルタリング１又は信号解析２に関連しないスキームの構成要素すべてが、閉ループ制御システム３の一部と見なされることになる。図１及び図２に示された方法の詳細が、図３及び図４により詳しく提示される。
【００２６】
信号フィルタリング１に関して、動力伝達装置の振動は、電気モータの回転速度ｎによって診断され、この値の関数として制御される。この目的のため、本発明による方法では、電気モータの回転速度ｎの制御変数が、電気駆動モータＭから読み出され、フィルタシステムによって処理される。この文脈では、電気モータの回転速度ｎは、まず第一に、帯域フィルタによってフィルタリングされる。フィルタの構成は、回転速度干渉信号ｘを解除する目的で、およそ５−５０Ｈｚで、中間周波数が低周波数域にある状態で狭帯域のフィルタリングを含む。ここにおいて、帯域フィルタは、例えば、パラメータ化可能なローパスフィルタとハイパスフィルタの直列回路によって、実施される。カットオフ周波数は、車両特定振動だけがフィルタを通過できるように設定される。このフィルタリングされた回転速度干渉信号ｘは、信号解析２、特に信号解析モジュールに転送される。
【００２７】
信号解析２に関して、このモジュールは、ヒステリシスを含む３点閉ループコントローラ（より詳しくは図３を参照）によって実施される。この手法は、例示した動力伝達装置システムが非線形システムであり、非線形制御セクションの問題によりモデル化できるという事実に基づいている。この文脈において、回転速度干渉信号ｘは、閉ループコントローラの入力変数である。出力信号、特に閉ループコントローラの補正率は、回転速度干渉信号ｘのプロファイル及び振幅（図３を参照）次第で決まる３つの異なる状態を想定することができる。以下が存在する。
ａ）回転速度干渉信号ｘがゼロクロスの領域に位置し、パラメータ化可能なスイッチオン閾値（閉ループコントローラのスイッチオン閾値正のＥＳ＿ｐ又はスイッチオン閾値負のＥＳ＿ｎ）のいずれにも到達しない場合、補正率ｙ＝０である。
ｂ）回転速度干渉信号ｘがパラメータ化可能なスイッチオン閾値正のＥＳ＿ｐを超過し、第１のスイッチオフ閾値正のＡＳ１＿ｐ（正の振動）に届かず、第２のスイッチオフ閾値正のＡＳ２＿ｐを超過しない場合、補正率ｙ＝−１である。２つのスイッチオフ閾値ＡＳ１＿ｐ、ＡＳ２＿ｐは、パラメータ化可能である。第１のスイッチオフ閾値正のＡＳ１＿ｐは、回転速度干渉信号ｘがパラメータ値ＡＳ１＿ｐより低くなる場合に、振幅の値の関数として、閉ループコントローラ出力、特に補正率ｙ＝０をスイッチする。第２のスイッチオフ閾値正のＡＳ２＿ｐは、回転速度干渉信号ｘが関連パラメータ値ＡＳ２＿ｐより高くなる場合に、閉ループコントローラ出力、特に補正率ｙを０にリセットする。
ｃ）負の回転速度干渉信号ｘが、スイッチオン閾値負のＥＳ＿ｎより絶対値が高く、絶対値が第１のスイッチオフ閾値負のＡＳ１＿ｎに届かず、絶対値が第２のスイッチオフ閾値負のＡＳ２＿ｎを超過しない場合、補正率ｙ＝１である。
【００２８】
２つのスイッチオフ閾値ＡＳ１＿ｎ、ＡＳ２＿ｎは、再びパラメータ化可能である。第１のスイッチオフ閾値負のＡＳ１＿ｎは、負の回転速度干渉信号ｘがパラメータ値ＡＳ１＿ｎより絶対値が低くなる場合に、振幅の値の関数として、閉ループコントローラ出力、補正率ｙ＝０をスイッチする。第２のスイッチオフ閾値負のＡＳ２＿ｎは、回転速度干渉信号ｘが関連パラメータ値ＡＳ２＿ｎより絶対値が高くなる場合に、閉ループコントローラ出力、補正率ｙを０にリセットする。
【００２９】
正負の干渉信号ＡＳ１＿ｐ，ＡＳ２＿ｐ，ＡＳ１＿ｎ，ＡＳ２＿ｎに関するスイッチオフ閾値が、閉ループ制御アルゴリズムのより正確な調節を可能にするように導入される。閉ループコントローラ出力信号ｙは、下流閉ループ制御システムモジュール３（図１を参照）に移る。
【００３０】
閉ループ制御システム３に関して、閉ループ制御システム関数は、電気モータのインバータの閉ループトルク制御システムに係合する。これを可能にするために、電気モータリクエストトルクＭＥｍ＿ｓｅｔｐ、又はそこから計算され、モータ車両のアクセルペダルから引き出され（ドライバのリクエスト）、又は車両において他の電子工学制御システム（ドライバのリクエストに係合）により計算及び／又は予め定義されたリクエスト補正トルクｋは、このサブモジュール（制御システム３）に対する入力変数として使用される（図２及び図４も参照）。
【００３１】
リクエスト補正トルクｋは、例えば、閉ループ制御関数若しくは閉フープコントローラに、又は幾つかの他の電子制御ユニットに記憶される表（早見表）から現在の電気モータリクエストトルクＭＥｍ＿ｓｅｔｐの関数として決定することができる。例えば、図４における、電気モータリクエストトルクＭＥｍ＿ｓｅｔｐの関数として、リクエスト補正トルクｋの特性図を参照する。
【００３２】
次いで、リクエスト補正トルクｋに、信号解析２から補正率ｙを乗じる。補正トルクｓ＝ｋ＊ｙ（図２を参照）。要するに、リクエスト補正トルクｋに補正率ｙ＝１若しくはｙ＝−１を乗じる、又はｙ＝０のときに、ｓ＝０なので補正率が存在しないかのどちらかである。
【００３３】
次いで、現在の車速ｖＦｚｇの関数として、電気モータリクエストトルクＭＥｍ＿ｓｅｔｐがその上に重ねられた又はそれに加えられた補正トルクｓを有しているかどうかが決定される。それゆえ、車速ｖＦｚｇは、更なる入力信号として要求され、当該車速ｖＦｚｇは、特定の速度範囲のアンチ震動機能全体を作動させるように働く。本作動は、車速ｖＦｚｇがパラメータ化された制限速度ｇより絶対値が低い場合のみ起こる。そうでなければ、電気モータ設定値トルクＭＥｍ＿ｎｅｗは、電気モータリクエストトルクＭＥｍ＿ｓｅｔｐに等しく、補正トルクｓがそれに加えられない。
【００３４】
このように決定される電気モータ設定値トルクＭＥｍ＿ｎｅｗは、次いで動力伝達装置の電気モータＭ又は電気モータＭの閉ループトルク制御システムに移る。
【００３５】
車両の動力伝達装置の構成次第で、動力伝達装置振動は、異なる方法で表現すると、例えば、開始時などの負荷変動で、発生する可能性がある。本発明による方法は、単純なパラメータ化により状態及び動力伝達装置構成を変更するように適合することができる更なる利点を有している。
【００３６】
本発明による方法の車速及び電気モータ駆動トルクへの依存は、例えば、リクエスト補正トルクｋを決定するための限定速度ｇ及び特性図又は表によって、パラメータ化することができる。したがって、広範な駆動状況への適合もまた、容易に可能である。例えば、上り勾配での車両始動の場合、比較的大きなリクエスト補正トルクｋが、常により良い結果を提供する。
【００３７】
本発明による方法により、動力伝達装置内の振動、特に動力伝達装置内のジャダーを積極的に減衰させることが可能になる。
【符号の説明】
【００３８】
Ｍ                電気モータ
ＭＥｍ＿ｎｅｗ    電気モータ設定値トルク
ＭＥｍ＿ｓｅｔｐ  電気モータリクエストトルク
ｎ                電気モータの回転速度
ｘ                回転速度干渉信号
ｙ                補正率
ｓ                補正トルク
ｋ                リクエスト補正トルク
ｖＦｚｇ          車速
ｇ                制限速度
ＥＳ＿ｐ          スイッチオン閾値正
ＥＳ＿ｎ          スイッチオン閾値負
ＡＳ１＿ｐ        第１のスイッチオフ閾値正
ＡＳ１＿ｎ        第１のスイッチオフ閾値負
ＡＳ２＿ｐ        第２のスイッチオフ閾値正
ＡＳ２＿ｎ        第２のスイッチオフ閾値負
【図１】
0006574161.tif 000002
【図２】
0006574161.tif 000003
【図３】
0006574161.tif 000004
【図４】
0006574161.tif 000005